(57)【要約】【課題】ごみをネットで覆っただけでは猫・カラスは口でネットの端をくわえてめくり、袋を破りごみを引きずり出す。またごみを積み上げると荷崩れしてネットからごみがはみ出してしまう。本発明は、折りたたみ式の、ごみ出し場ごみ囲み枠を提供する。【解決手段】複数枚の板を立体の枠になるように繋ぎ、繋ぎ目の接続部は折り曲げが出来るような機能を設け、使用時は広げた枠の中にごみ袋を置きごみを囲むという状態を作り、使用しないときはジャバラ折にたたむ、と言う事を特徴としたごみ出し場ごみ囲み枠。【選択図】図５
2017132633.tif 000002
【特許請求の範囲】
【請求項１】
複数枚の囲み枠板から構成され、各々の囲み枠板の繋ぎ目の接続部は折り曲げ自在に設け、使用する時には囲み枠板を広げごみ収納部となる囲いを形成し、収納する際は囲み枠板の繋ぎ目を折り曲げてたたむように設けたごみ出し場ごみ囲み枠。
【請求項２】
複数の囲み枠板に収納板を接続して設けた請求項１のごみ出し場ごみ囲み枠。
【請求項３】
囲み枠板には、対峙する囲み枠長板の両端に二枚の囲み枠短板を接続して設けた請求項１のごみ出し場ごみ囲み枠。
【請求項４】
囲み枠板には囲み枠板を連続して接続し、次に囲み枠板の長手方向の寸法が、前記した囲み枠板より短くした囲み枠短板を連続して接続して設けた請求項１のごみ出し場ごみ囲み枠。
【発明の詳細な説明】
【技術分野】
【０００１】  本発明は、ごみ出し場の猫・カラスによる、ごみ荒らしがなくなるという、ごみ出し場ごみ囲み枠に関するものである。
【背景技術】
【０００２】  従来ごみ出しの際、猫・カラスのごみ荒らし防止道具としては、ごみを覆うネットがある。
【発明の概要】
【発明が解決しようとする課題】
【０００３】  ごみをネットで覆っただけでは、猫・カラスは口でネットの端をくわえてめくり、袋を破りごみを引きずり出す。
またごみを積み上げると荷崩れしてネットからごみがはみ出してしまう。
本発明は以上の問題点を解決するためになされたものである。
【課題を解決するための手段】
【０００４】  複数枚の板を立体の枠になるように繋ぎ、繋ぎ目の接続部は折り曲げが出来るような機能を設け、使用時は広げた枠の中にごみ袋を置きごみを囲むという状態を作り、使用しないときはジャバラ折にたたむ。
以上の構成によりなるごみ出し場ごみ囲み枠。
【発明の効果】
【０００５】  猫・カラスの行動を観察すると、はみ出たごみ袋を破り中身を引きずり出す事が判り、ごみの周りを囲むだけで効果がある。
共同住宅のごみ出し場において、カラスの繁殖期で相当の被害を被った３月にマンション管理員である発明者が、本発明を試作・設置し、上からネットで覆ったところ、今日まで一度も被害がなく、カラスの声すら無くなった。
自宅用に小さく作り設置し上からネットで覆ったところ、以前と違い、前日の夜から生ごみを出しておいたにもかかわらず猫の食い散らかしは無くなった。
【図面の簡単な説明】
【０００６】
【図１】本発明の（実施例１）大型サイズ囲み枠を円状に広げた状態図
【図２】図１の折りたたみ途中の状態図
【図３】図１の折りたたみ後の真上から見た平面図
【図４】図１の折りたたみ後の真横から見た斜視図
【図５】本発明図１のごみネット併用使用状態図
【図６】本発明の（実施例２）中型サイズ囲み枠を広げた状態図
【図７】図６の折りたたみ後の真横から見た斜視図
【図８】本発明の（実施例３）小型サイズ囲み枠を広げた状態図
【図９】図８の折りたたみ後の真横から見た斜視図
【発明を実施するための形態】
【０００７】  以下、本発明の実施の形態を説明する。
（イ）  図１に示した本発明の実施例１の大型サイズごみ囲み枠板（１）の長方形と同じ大きさの囲み枠板（２）から囲み枠板（８）まで計８枚用意する。
（ロ）  前記の囲み枠板（１）〜（８）の計８枚を重ねて出来た厚みに５〜８ｃｍ足した長さを横幅とする収納板（９）を一枚用意する。収納板（９）の縦の長さは囲み枠板（１）〜（８）と同じ２５〜３０ｃｍ位である。（寸法は一実施例の数値を示す）
（ハ）  前記した囲み枠板（１）〜（８）と収納板（９）の各々の板を横に繋ないでいき、最後に囲み枠板（１）と収納板（９）を立体枠になるように繋ぐが、繋ぎ目の接続部は折り曲げ自在に設ける。枠の円周の目安は５００ｃｍ位である。
（ニ）  図６に示した本発明の実施例２の中型サイズごみ囲み枠長板（１３）２枚と囲み枠短板（１２）４枚を用意する。囲み枠短板（１２）の横幅は囲み枠長板（１３）の横幅の二分の一の長さから２〜５ｃｍ位引いたもので、囲み枠短板（１２）と囲み枠長板（１３）の縦はともに２５〜３０ｃｍ位である。（寸法は一実施例の数値を示す）
（ホ）  前記した計６枚の囲み枠板を囲み枠長（１３）、囲み枠短（１２）、囲み枠短（１２）、囲み枠長（１３）、囲み枠短（１２）、囲み枠短（１２）の順に横に繋いでいき、最後に囲み枠短（１２）と囲み枠長（１３）を繋ぎ立体枠になる様にする。繋ぎ目の接続部は折り曲げが出来る機能がある。枠の円周の目安は３００ｃｍ位である。
（ヘ）  図８に示した本発明の実施例３の小型サイズごみ囲み枠板（１４）２枚と、囲み枠板（１５）２枚を用意する。囲み枠板（１４）の横幅は囲み枠板（１５）の横幅から２〜５ｃｍ位引いたもので、囲み枠板（１４）と囲み枠板（１５）の縦はともに２５〜３０ｃｍ位である。
（ト）  前記した計４枚の囲み枠板（１４）（１４）（１５）（１５）の順に横に繋いでいき、最後に（１５）と（１４）を繋ぎ立体枠になる様にする。繋ぎ目の接続部は折り曲げが出来る機能がある。枠の円周の目安は１５０ｃｍ位である。
（チ）  使用後はジャバラ折にしてたたむが、たたみ方について実施例１は、図２・折りたたみ途中の状態図を、図３・折たたみ後の真上から見た平面図を、図４・折りたたみ後の真横から見た斜視図を添付している。
実施例２は、図７・折りたたみ後の真横から見た斜視図を添付している。
実施例３は、図９・折りたたみ後の真横から見た斜視図を添付している。ｙ
本発明は以上のような構造である。
【０００８】  本発明を使用する時は、
実施例１は、囲み枠板（１）〜囲み枠板（８）の８枚と収納板（９）の１枚が繋がり形成され立体枠になっている囲み枠板を広げ、ごみ収納部となる囲いの中にごみ袋を置いていく。
ごみが収集された後、囲み枠板（１）〜（８）をたたむが、８枚の、囲み枠板を山折・谷折にしながら収納板（９）にジャバラがたまる様に納める。
図４は折りたたみ後の真横から見た斜視図である。
実施例２は、囲み枠長板（１３）２枚と囲み枠短板（１２）４枚が繋がり形成され立体枠になっている囲み枠板を広げ、ごみ収納部となる囲いの中にごみを置いていく。
ごみが収集された後、囲み枠をたたむが、囲み枠短板（１２）が２枚繋がっている繋ぎ目２箇所を谷折に折ると、囲み枠長板（１３）が表裏に対峙した状態でたたむことが出来る。
図７は折りたたみ後の真横から見た斜視図である。
実施例３は板（１４）２枚と（１５）２枚が繋がり形成され四角形の立体枠になっている囲み枠を広げ、ごみ収納部となる囲いの中にごみを置く。
ごみが収集された後、囲み枠をたたむが、板（１４）の繋ぎ目を谷折に折り、板（１５）の繋ぎ目が谷折に折られている部分と一緒にし、たたむ。
図９は折りたたみ後の真横から見た斜視図である。
【符号の説明】
【０００９】１  囲み枠板、２  囲み枠板、３  囲み枠板、４  囲み枠板、５  囲み枠板、６  囲み枠板、７  囲み枠板、８  囲み枠板、９  収納板、１０  ネット、１１  ごみ袋、１２  囲み枠短板、１３  囲み枠長板、１４  囲み枠板、１５  囲み枠板
【図１】
2017132633.tif 000003
【図２】
2017132633.tif 000004
【図３】
2017132633.tif 000005
【図４】
2017132633.tif 000006
【図５】
2017132633.tif 000007
【図６】
2017132633.tif 000008
【図７】
2017132633.tif 000009
【図８】
2017132633.tif 000010
【図９】
2017132633.tif 000011